Podtech/llm-jp-corpus-v4-ja_patent huggingface dataset:
(57)【要約】【課題】  一般に使用されているコンパクトな多弦楽器用コードバーは、限られたスペースに１本のコードバーに対して１コードとして１５本〜２１本で構成されている。  しかし、上記の限られたスペースにおいて、全音階の主要三和音(Tonic,Subdominant.Dominant)のコードーバーを設けることはできず、演奏に必要なコードバーがない場合やむをえず演奏に参加できないことになるのである。そこで、限られたスペースにできるだけ多くのコードが奏せられるコードバーを設け、更に、従来乱雑に並べられていたコードバーの位置を誰もが知るピアノの鍵盤状に整列させることにより一層演奏し易い多弦楽器用のコードバーを提供すること。【解決手段】コードバー本体内に各長音階主三和音の第三音を消音したと同時に、その第三音の半音下の音(弦)を発音させられるスライドコードバーを設けることでメジャーコードをマイナーコードに切り替えることができる。【選択図】図２
2006139157.tif 000002
【特許請求の範囲】
【請求項１】
コンパクトな多弦楽器に使用するコードバーにおいて、前記コードバー本体内に、スライドコードバーを内蔵し、前記スライドコードバーによって各長音階主三和音の第三音のみを半音下げることで、前記コードバー本体のコード(和音)を長音階主和音から短音階主和音に変更することができ得るように構成されたことを特徴とする多弦楽器用コードバー。
【発明の詳細な説明】
【技術分野】
【０００１】
本発明は、コンパクトな多弦楽器の限られたスペースにできるだけ多くのコードが奏せられるコードーバーを設けること、更に、コードバーを整列することでコードバーの位置が明確で演奏し易くなり、より一層演奏範囲を広げることができる多弦楽器用コードバーに関するものである。
【背景技術】
【０００２】
一般に使用されているコンパクトな多弦楽器用コードバーは、限られたスペース１本のコードバーに対して１コードとして１５本〜２１本で構成されている。
【０００３】
しかし、上記の限られたスペースにおいて、全音階の主要三和音(Tonic,Subdominant.Dominant)のコードーバーを設けることはできず、演奏に必要なコードバーがない場合やむをえず演奏に参加できないことになるのである。
【特許文献１】特になし
【非特許文献１】特になし。
【発明の開示】
【発明が解決しようとする課題】
【０００４】
本発明は、上記の問題を解決するものであって、コンパクトな多弦楽器の限られたスペースにできるだけ多くのコードが奏せられるコードバーを設け、更に、従来乱雑に並べられていたコードバーの位置を誰もが知るピアノの鍵盤状に整列させることにより一層演奏し易い多弦楽器用のコードバーを提供することを目的としている。
【課題を解決するための手段】
【０００５】
上記の目的を達成するための本発明の多弦楽器用コードバーは、コードバー本体内に全長音階主三和音の第三音を消音したと同時に、その第三音の半音下の音(弦)を発音させられるスライドコードバーを設けることでメジャーコードをマイナーコードに切り替えることができる。(図１参照)
【０００６】
上記のように構成された本発明の多弦楽器用コードバーを使用することによって、１本のコードバーに２コードが得られることになり、限られたスペースに従来の２４本分のコードが１２本のコードバーに納められる。この簡素化されたコードバーによってピアノの鍵盤状に整列させることができる。
【発明の効果】
【０００７】
以上のように構成された多弦楽器用のコードバーは、次のような効果を奏する。
【０００８】
請求項１は、コンパクトな多弦楽器用として、１本のコードバーで２コードが得られることになり、限られたスペースに従来の２４本分のコードが１２本のコードバーに納められる。この簡素化されたコードバーによってピアノの鍵盤状に整列させることができ、コードバーの位置が覚えやすく初心者にも奏することが容易となる。また、このことによるコードバーの減数により空いたスペースに他のコードが奏せられる新たなコードバーも追加できる。
【発明を実施するための最良の形態】
【０００９】
以下、本発明を適用した多弦楽器用コードバーの実施するための最良の形態を図を参照して説明する。
【００１０】
図１は、本発明に関する参考図であって、コンパクトな多弦楽器のサイズは、縦６００ｍｍ、横４００ｍｍ、厚み７０ｍｍ程度である。
【００１１】
図２−１は、本発明に関する実施例の図であって、サウンドボックス１上のコードバー取付枠２に並列に納められた複数のコードバーにおいて、計算された間隔に付設された止音用フエルト４を有するコードバー本体３に、弦７のピッチに対して１ピッチ左右にスライドするスライドコードバー５が内蔵されている。このスライドコードバーにも止音用フエルト６が計算された位置に付設してある。図２−２は、スライドコードバー５が１ピッチ横にスライドした状態の図であって、スライドコードバー５に付設されたフエルト６のみが横へ移動している。図２−３は、Ａ−Ａ断面図、Ｂ−Ｂ断面図である。
【００１２】
例えば、ＣコードはＣ(ド)、Ｅ(ミ)、Ｇ(ソ)の音程から構成されており、スライドコードバー５に付設されたフエルト６によってＣコードの第三音のＥ(ミ)を止音し、その代わりにＥｂ(ｂミ)を開放、発音させることで、Ｃ(ド)、Ｅｂ(ｂミ)、Ｇ(ソ)の音程の組み合わせになりＣｍコードに変換できることになる。
【００１３】
上記によって構成された新規なるコードバー１２本を列記すれば、Ｃ−Ｃｍ，Ｃ＃−Ｃ＃ｍ，Ｄ−Ｄｍ，Ｅｂ−Ｅｂｍ，Ｅ−Ｅｍ，Ｆ−Ｆｍ，Ｆ＃−Ｆ＃ｍ，Ｇ−Ｇｍ，Ａｂ−Ａｂｍ，Ａ−Ａｍ，Ｂｂ−Ｂｂｍ，Ｂ−Ｂｍとなり、計２４コードが得られることになる。このことから、１２本のコードバーをピアノの鍵盤と同様な配列にでき、無意識に手が向くことから子供〜年輩者にも演奏しやすくなる。(図１参照)
【００１４】
図３は、多弦楽器用コードバーをコードバー本体３とスライドコードバー５に分解した状態を示した斜視図で、コードバー本体３とスライドコードバー５の素材は、木、プラスチック、金属等で、ハンドメイドや樹脂成形加工による。
【産業上の利用可能性】
【００１５】
本発明によって奏せられるコードが増えることで演奏範囲が広がり愛好者も増え、子供の音楽教育の向上効果をもたらすことにも繋がる。
【図面の簡単な説明】
【００１６】
【図１】明細書等における文章表現を明確にするための参考図である。
【図２】本発明を適用した多弦楽器用コードバーの仕組みを示す全体図、及び、断面図である。
【図３】本発明を適用した多弦楽器用コードバーを説明する斜視図である。
【符号の説明】
【００１７】
１    サウンドボックス
２    コードバー取付枠
３    コードバー本体
４    フエルト(コードバー本体用)
５    スライドコードバー
６    フエルト(スライドコードバー用)
７    弦
【図１】
2006139157.tif 000003
【図２】
2006139157.tif 000004
【図３】
2006139157.tif 000005
(57)【要約】【課題】本発明の目的は、学習者に対して渦電流の発生と抑制を同一器具によって認識させることができる学習用教具であり、さらに科学的な疑問をもたせることができる興趣性の高い科学的玩具としても使用できる装置を提供することにある。【解決手段】本発明に係る渦電流発生・抑制認識装置は、本発明で考案した構造、すなわち、非磁性体かつ電気的に導体の板と薄い絶縁物とを積層した構成の立方体ブロックから構成される。ブロック上方に吊るされた磁石の振り子運動が、ブロックの配置方向によって磁石の挙動が異なることを観察することにより、渦電流の発生および抑制を認識することができる教具であり、かつ科学的な疑問をもたせることができる興趣性の高い玩具である。【選択図】  図４
2006139001.tif 000002
【特許請求の範囲】
【請求項１】
渦電流の発生と抑制を同一装置で体験的に理解させるため教具であり、装置を置く方向により異なるミステリアスな動作を見て楽しむ玩具的要素を合わせ持つ装置。
【請求項２】
前記教具の一形態は非磁性かつ電気的導体の板と絶縁物を交互に接着、もしくは、表面のみ絶縁物である導体を積層してあることを特徴とする請求項１記載の装置。
【発明の詳細な説明】
【技術分野】
【０００１】
本発明は、渦電流、変圧器、誘導機を学習する高等学校生徒、高等専門学校および大学の初年度程度の学生を対象とした渦電流の発生と抑制を理解させるための学習用の教具、および物理的興味を持たせるためのミステリアスな要素を合わせ持つ玩具に関するものである。
【背景技術】
【０００２】
一般には前記渦電流に関連した教具は、単に、吊り下げられた導体板をＵ型磁石で振動させる方式のもの（特許文献１参照）、回転可能な導体板をその外周の一部分に導体板を非接触で挟む位置に置かれた永久磁石円盤を手動で回転させることで導体板を回転させる方式のもの（特許文献２参照）、回転軸上に設置した永久磁石を手動で回転させ、その間に非接触で設置された釣鐘の形状をしたアルミキャップ回転させる方式のもの（非特許文献１参照）である。
【特許文献１】実開昭５９−１９２１７２号公報
【特許文献２】実開昭５６−１７０４６９号公報
【非特許文献１】中村理科カタログＮｏ．Ｂ１０−４８５０、誘導電動機原理説明器ＣＬ−４５０、２００４年
【発明の開示】
【発明が解決しようとする課題】
【０００３】
しかし、従来の教材では同じ渦電流に関連したものでありながら、その渦電流の利用（モータ）と渦電流の抑制（変圧器のケイ素鋼板やフェライトコア）の原理を同時に同一装置を用いて教えることはできない。
【０００４】
そこで、本発明の目的は、渦電流の発生と抑制を同一装置によって認識させることができる学習教材および科学的玩具として使用できる装置を提供することにある。
【課題を解決するための手段】
【０００５】
上記目的を達成するため、本発明に係る渦電流発生・抑制認識装置は、非磁性体かつ電気的に導体の板と薄い絶縁物とを積層した構成の立方体ブロックを考案した。ブロック上方に吊るされた磁石の振り子運動が、ブロックの配置方向によって磁石の挙動が異なることを観察することにより、体験的に渦電流の発生および抑制を認識することで、それらの原理を実感し理解することができる装置である。
【発明の効果】
【０００６】
本発明によれば、ブロックの上部で振り子運動する磁石の挙動ブロックの配置方向によって著しく異なるので物理的な疑問と興味とを呼び起こすための玩具および教具として使用できる。
【０００７】
さらに、渦電流を既に学習した者に対しては、その原理と応用を理解させることができる。
【発明を実施するための最良の形態】
【０００８】
以下に本発明を実施するための最良の形態例を図１〜図４に基づいて説明する。
【実施例１】
【０００９】
図１は立方体ブロック本体の構成例である。ブロック本体は非磁性体かつ電気的に導体の板、例えば銅、アルミなどの金属板もしくはそれらを含んだ合金の導体板１および電気的絶縁物として導体板１と同一面積の紙もしくは非導体の高分子フィルム２を交互に積層して構成される。なお、導体の板厚は1mm以下が適している。それら導体板と絶縁物とは接着剤等で接合することで図２の立方体のブロックを形成している。なお、導体板１の表面を絶縁物でコーティング加工や窒化、酸化処理等により導体板１の表面を絶縁物に改質したものを用いた場合は、紙もしくは非導体の高分子フィルム２を必要としない。
【実施例２】
【００１０】
本発明の一実施形態の構成例を図３および図４の概略図に示す。立方体ブロック３、永久磁石４、糸５、装置台６、糸固定棒７から構成される。
【実施例３】
【００１１】
図３の実施例における構成の詳細を以下に述べる。糸５は固定棒７の端で固定され、その糸のもう一端に永久磁石４（ネオジウム磁石等）が接続されている。なお、磁石４の極性の配置は立方体ブロックに鎖交する磁束を多くするために、ブロック方向にＮ極またはＳ極の面が表出するように糸５に接続している。
【００１２】
図３のように立方体ブロックを装置台６の上に設置した場合、使用者の手で保持していた磁石４を手離し、磁石４がブロック１の上部に達するとブロックの導体面と鎖交する磁束によって渦電流が各層の導体面に発生する。その結果、磁石４との間の電磁誘導作用によって磁石は制動を受け、急激に静止する。
【実施例４】
【００１３】
一方、立方体ブロックを図４のように設置した場合、図３と同様な操作を行うと、磁石４がブロック１の上部に達するとブロックの各層の導体面に鎖交磁束によって渦電流が発生する。しかし、その電流量は方向図３のようにブロックを設置した場合よりも著しく小さい。従って、この場合、磁石へ働く制動力は小さく、磁石は単振動を繰り返すこととなる。以上の観察から学習者は視覚的に渦電流の発生と抑制を認識できる。
【図面の簡単な説明】
【００１４】
【図１】導体板と絶縁シートの積層構造
【図２】導体板と絶縁シートの積層し立方体ブロック概観図
【図３】本発明の一実施形態（その１）
【図４】本発明の一実施形態（その２）
【符号の説明】
【００１５】
１：導体板
２：紙もしくは非導体の高分子フィルム
３：立方体ブロック
４：永久磁石
５：糸
６：装置台
７：糸固定棒
【図１】
2006139001.tif 000003
【図２】
2006139001.tif 000004
【図３】
2006139001.tif 000005
【図４】
2006139001.tif 000006
(57)【要約】      （修正有）【課題】防犯ベルをアクセサリーとして人目を気にすることなく、常に身に付けておくことができるようにする。【解決手段】防犯ベル本体にビーズや銀細工で装飾することにより、アクセサリーとして身に付けることができる。ハンカチで防犯ベルカバーを作り男性用スーツのポケットにも着用できるようにした。【選択図】図２
2006139734.tif 000002
【特許請求の範囲】
【請求項１】
（１）防犯ベル全体をビーズなどで覆いアクセサリーにした。  （２）ハンカチで防犯ベルカバーを作成した。
【発明の詳細な説明】
【０００１】  本発明は防犯ベルをアクセサリーとして人目を気にすることなく、常に身に付けておくことができるようにしたものである。
【０００２】  防犯ベルにアクセサリーとして身に付けるものがなかった。
【発明の開示】
【発明が解決しようとする課題】  今までの防犯ベルは大きく、形もすぐに防犯ベルと判り、身に付けにくい。
【課題を解決するための手段】  ビーズや銀細工を使い、（図１）が防犯ベル本体を覆い、（図２）アクセサリーにした。また、ハンカチで（図３）防犯ベルカバーを作ることにより男性用スーツのポケットの入れることができる。
【発明の効果】  老若男女問わず昼夜を通してアクセサリーとして身に付けることができる。
【発明を実施するための最良の形態】  以下、本発明の実施の形態について図面を参照しながら説明する。  図１の防犯ベル本体にビーズや銀細工を使い、図２アクセサリーにした。ハンカチで、図３防犯ベルカバーを作り男性でも目立たないで使用できる。
【産業上の利用可能性】  本発明は生活必需品として老若男女問わず防犯防災用として使用できる。
【図面の簡単な説明】
【図１】防犯ベルの外観図
【図２】アクセサリー式防犯ベルの外観図
【図３】防犯ベルカバーの外観図
【図１】
2006139734.tif 000003
【図２】
2006139734.tif 000004
【図３】
2006139734.tif 000005
(57)【要約】【課題】  新聞や小冊子等の出版物３を販売する自動販売機において、内蔵された出版物３をサンプルのように表示させることができ、出版物３が売り切れた際には一目で分からせることができるようにする。【解決手段】  自動販売機内にセットされた新聞や小冊子等の出版物３をサンプルとして表示させるため、内部に螺旋形状の払い出し装置１を設けて、谷になる部分に出版物３を一部ずつ、それらを背板３に立てるようにセットしていくことで、一番手前側になる出版物３が自動販売機内において自然とサンプルとなるように設計すると共に、出版物３を見やすくさせるため自動販売機の手前側は、その大きさ合わせた透明の樹脂で出来た窓を配置するものとする。【選択図】  図１
2006139735.tif 000002
【特許請求の範囲】
【請求項１】
新聞や小冊子等の自動販売機内において、セットされた新聞や小冊子等の出版物３をサンプルとしても表示させるため、螺旋形状の払い出し装置１の谷になる部分に一部ずつ、それらを背板２に立て掛けるようにしてセットするものとし、出版物３を払い出す際はバネ状の払い出し装置１をモーター４を介して一回転させることで一部だけ、自動販売機手前側に設けた払い出しスロープ５に落下させて払い出し口へ導き出す手段を持たせたものとする。
【発明の詳細な説明】
【技術分野】
【０００１】  新聞や小冊子等の出版物の販売を目的とした自動販売機において、内蔵されてる払い出し装置に関する。
【背景技術】
【０００２】  従来、新聞の自動販売機の払い出し装置に関しては新聞を自動販売機内で水平に積み上げられた状態にして、払い出す際は一番上にある一部だけを針で引っ掛けて、モーターの力を利用しながら水平に動かすことによって、払い出し口へ導き出すタイプが主流である。
【発明の開示】
【発明が解決しようとする課題】
【０００３】  本発明は新聞や小冊子等の出版物を販売する自動販売機の払い出し装置において、新聞や小冊子等をセットする際に新聞や小冊子等を水平に積み上げるのではなく、垂直に近い角度を保つように並べていくことで、一番先頭に来る新聞や小冊子等が自動販売機の前にいる人に対して、サンプルとして表示できる機能を持たせると共に、出版物が売り切れた際には一目で分からせることができるようにする。
【課題を解決するための手段】
【０００４】  本発明は自動販売機内にセットされた新聞や小冊子等の出版物３をサンプルとして表示させるため、螺旋形状の払い出し装置１の谷になる部分に一部ずつ、それらを背板２に立て掛けるようにしてセットするものとし、払い出す際はバネ状の払い出し装置１をモーター４を介して一回転させることで出版物３を一部だけ、手前側の払い出しスロープ５に落下させて自動販売機の払い出し口へ導き出すものとする。
【発明の効果】
【０００５】  本発明は新聞や小冊子等の出版物３を販売する自動販売機において、内蔵された出版物３をサンプルのように表示させることができるため、サンプルの表示がない自動販売機よりも購買力を高めることができると共に、出版物３が売り切れた際には一目で分からせることができる。
【発明を実施するための最良の形態】
【０００６】  本発明は自動販売機内にセットされた新聞や小冊子等の出版物３をサンプルとしても表示させるため、内部に螺旋形状の払い出し装置１を設けて、谷になる部分に出版物３を一部ずつ、それらを背板３に立てるようにセットしていくことで、一番手前側になる出版物３が自動販売機内において自然とサンプルとなるように設計すると共に、出版物３を見やすくさせるため、自動販売機の手前側は、その大きさ合わせた透明の樹脂で出来た窓を配置するものとする。
【実施例１】
【０００７】  この実施例の自動販売機の出版物等の払い出し装置１は、図２に示すように螺旋形状にすることで、その谷になる部分に出版物３を一部ずつ、それらを背板２に立てるように奥側から順番にセットしていくものとするが、谷になる部分の幅（ピッチ）は出版物３の厚さに合わせて軽く挟み込む程度のものとし、バネ状の払い出し装置１の全長は背板２に立て掛けた出版物３が最後の一部となった際に、途中で折れ曲がったりしない長さのものとする。
【実施例２】
【０００８】  この実施例の出版物等の払い出し装置１は、モーター４を介して回転させることで出版物３を手前側に移動させることができ、その際に払い出し装置１を一回転させたときに一番手前にある一部だけを払い出し、スロープ５に落下させて自動販売機の払い出し口へ導くものとする。
【実施例３】
【０００９】  この実施例の自動販売機内においてセットされた新聞や小冊子等の出版物３が、サンプルとしても表示させることになるので、自動販売機の手前側は、その大きさ合わせた透明の樹脂で出来た窓を配置し、出版物３が良く見えるようにする。
【産業上の利用可能性】
【００１０】  本発明は内部に螺旋形状の払い出し装置１を設け、モーター４を介して回転させることで出版物３を手前側に移動させ払い出させるものであるが、新聞や小冊子等にとらわれず、螺旋形状の谷になる部分の幅（ピッチ）や全体の大きさを変更したり、セットするものが最後の一部となった際に途中で折れ曲がったりしない板状ものであれば、違った種類のものを払い出すことが可能となる。
【図面の簡単な説明】
【００１１】
【図１】本発明の実施例に係る斜視図である。
【図２】本発明の１実施例に係る側面図である。
【符号の説明】
【００１２】１  払い出し装置
２  背板
３  出版物
４  モーター
５  払い出しスロープ
【図１】
2006139735.tif 000003
【図２】
2006139735.tif 000004
(57)【要約】【課題】ＧＰＳ機能付き携帯電話機及びＧＰＳ機能付き携帯型端末機等の使用者が的確に目的物件に到着でき、目的物件の各種情報等を得られるようにする。【解決手段】ＧＰＳ機能付き携帯電話機及びＧＰＳ機能付き携帯型端末機等により、使用者の現在位置を特定し、使用者に携帯電話機等より発する音、音声、携帯電話機に付随するランプ又はバイブレーション機能等にて目的物件の存在の知らせ、また、目的物件の各情報等を携帯電話機等の液晶画面に表示、又は音声にて配信する。【特許請求の範囲】
【請求項１】
ＧＰＳ機能付き携帯電話機及びＧＰＳ機能付き携帯型端末機等により使用者の現在位置を特定し、観光地においては名所旧跡等の観光物件の前を通ると共に、携帯電話機等より発する音、音声、携帯電話機等に付随するランプ又はバイブレーション機能等にて、観光物件の存在を使用者に知らせ、携帯電話機等の液晶画面に観光物件の説明及び観光物件の拝観等の割引チケット等を受信表示し、音声でも観光物件の説明等を行い、観光物件内においては各観光物の前を通ると共に、携帯電話機等の液晶画面に各観光物の説明等を受信表示し、音声でも観光物の説明等を行い、または、ＧＰＳ機能付き携帯電話機及びＧＰＳ機能付き携帯型端末機等に予め、観光及び飲食等の目的物件の業種又は名前等を指定及び設定することにより、その目的物件の前を通ると共に、携帯電話機等より発する音、音声、携帯電話機等に付随するランプ又はバイブレーション機能等にて、目的物件の存在を使用者に知らせ、携帯電話機等の液晶画面に目的物件の説明及び目的物件で利用できる割引チケット等を受信表示すると共に、音声でも目的物件の説明を行い、または、情報を得たい物件の前でＧＰＳ機能付き携帯電話機及びＧＰＳ機能付き携帯型端末機等を作動することにより、携帯電話機等の液晶画面にその物件の説明及びその物件で利用できる割引チケット等を受信表示すると共に、音声でもその物件の説明を行う、システムとそのシステムの構築とその運営方法。
【発明の詳細な説明】
【技術分野】
【０００１】  本発明は、ＧＰＳ（グローバル・ポジショニング・システム）機能付き携帯電話機及びＧＰＳ機能付き携帯型端末機等を利用し、使用者の観光及び使用者が欲する物件の各情報を提供する方法に関する。
【背景技術】
【０００２】  現在のＧＰＳ機能付き携帯電話機及びＧＰＳ機能付き携帯型端末機等では目的物件の道案内をするに止まり、また、付随する液晶画面の大きさにも限界があり、目的物件が細かく存在する観光地等では目的物件を通り過ぎたりし、その機能には限界があった。
また、瞬時に、その目的物件の割引チケット等を含めた説明等の受信機能は存在していない。
【発明の開示】
【発明が解決しようとする課題】
【０００３】  本発明は、的確に、使用者を目的物件に案内し、また、瞬時に、その目的物件の情報を得ることができる。
【課題を解決するための手段】
【０００４】  ＧＰＳ機能付き携帯電話機及びＧＰＳ機能付き携帯型端末機等により使用者の現在位置を特定し、使用者に携帯電話機等より発する音、音声、携帯電話機に付随するランプ又はバイブレーション機能等にて目的物件の存在の知らせ、また、目的物件の各情報等を携帯電話機等の液晶画面に表示、又は音声にて配信する。
【発明の効果】
【０００５】  この発明により、使用者は的確に目的物件への到着が可能となり、また、瞬時に、目的物件の各情報を得ることができる。
【発明を実施するための最良の形態】
【０００６】  ＧＰＳ機能付き携帯電話機及びＧＰＳ機能付き携帯型端末機等の使用者の現在位置は測地衛星からの電波で特定され、この特定された位置に基づき、各種目的物件の情報を保有している情報発信会社により各種物件案内システムが配信される。
使用者が観光地に存在する場合、携帯電話機等の機能を観光地に設定することにより、観光物件の存在のお知らせ、説明等を情報発信会社が使用者の携帯電話機に配信する。
使用者が予め、携帯電話機等の機能に観光及び飲食等の目的物件の業種又は名前等を指定及び設定することにより、目的物件の存在のお知らせ、説明等を情報発信会社が使用者の携帯電話機に配信する。
使用者が情報を得たい物件の前でＧＰＳ機能付き携帯電話機及びＧＰＳ機能付き携帯型端末機等を作動した場合、説明等を情報発信会社が使用者の携帯電話機に配信する。
(57)【要約】【課題】政府及び地方公共団体等の健康推進の施策の一端にスポーツの推奨があるが、現在の手狭な住環境では、スポーツによれば多くの道具を必要とするスポーツに関し、参加の意志があっても参加しにくく、また、スポーツに関する道具等を専門の保管する倉庫はない。【解決手段】スポーツに関するものに限定し、保管する倉庫を運営する。また、、本発明は、保管に止まらず、よりスポーツが行いやすくするため、依頼があれば、道具等の修理修繕、指定された場所への配達を行い、更に、スポーツに伴う情報及び保管物に伴う商品情報等をインターネット及びメール等にて発信する。【特許請求の範囲】
【請求項１】
ウォーターリゾートのサーフィン、ウィンドサーフィン、スキューバダイビング、ウェイクボード、フィッシング、水上バイク、カヌー、カヤック等、又はスノーリゾートのスキー、スノーボード、スノーモービル、カーリング、ボブスレー、リュージュ等、又はラウンドリゾートのゴルフ、ゲートボール、クロッケー等、各スポーツに必要な道具等一切を、また、各スポーツを実施する場所への移動に要する夏用タイヤ及び冬用タイヤ等一切を、また、アウトドア及びキャンプ等に必要な道具等一切を、保管契約を交わした個人及び法人等に対し、専門に預かり、保管し、依頼があれば、修理修繕を行い、指示された場所に配達する業務及びその運営方法と、それに付随する各スポーツ、タイヤ及びアウトドア等の情報及び商品情報等の携帯電話機及びパソコン等へのｅ−ｍａｉｌ等による通知、また、インターネットのホームページへの掲載等ができる、システムの構築とその運営方法。
【発明の詳細な説明】
【技術分野】
【０００１】  本発明は、スポーツに関するものに限定し、保管、修理修繕及び配達、また、情報を発信する方法に関する。
【背景技術】
【０００２】  現在、政府及び地方公共団体等では健康推進の施策の一端として、スポーツを推奨している。
しかし、そのスポーツの種類によっては移動時の道具等まで含め、多くの道具等を必要とするものがあり、現在の住宅事情より、その道具等を保管するスペースを得るのは難しく、そのことがスポーツへの消極的参加、又は無理に住宅に保管することにより住環境の悪化及びそれに伴う身体への悪影響等を及ぼしている。
【発明の開示】
【発明が解決しようとする課題】
【０００３】  近年の社会生活の形態の変化により、核家族の増加、学生及び単身赴任等の一人暮らしの増加、また、昨今の不景気も伴い、住環境は小さなものへとなりつつあり、その中でスポーツの道具等を保管するスペースを得るのは更に、難しくなりつつある。
これに対し、近年、倉庫等を生業とする企業において、小スペースによるトランクルーム等を賃貸する企業が出現してきているが、預かるものは衣類、書類等に限られ、スポーツに関するものを預かる企業は存在しない。
【課題を解決するための手段】
【０００４】  スポーツに関するものに限定し、保管する倉庫を運営する。
【発明の効果】
【０００５】  この発明により、現在より、安心して、スポーツへ参加することが可能となり、このことは政府及び地方公共団体等の健康推進の施策に貢献することができる。
また、スポーツへの参加人口の増加により、経済への寄与にも貢献することができる。
【発明を実施するための最良の形態】
【０００６】  本発明は、保管に止まらず、よりスポーツが行いやすくするため、依頼があれば、道具等の修理修繕、指定された場所への配達を行い、更に、スポーツに伴う情報及び保管物に伴う商品情報等をインターネット及びメール等にて発信する。
(57)【要約】【課題】  本発明の目的は、表示能力の優れたスーパーインポーズ機能を実現することである。【解決手段】  接眼レンズからみて観察する撮影画像の結像面と共役な位置に電子表示装置を配置し、前記撮影画像と前記電子表示装置に表示される情報を合成して観察することが可能な一眼レフのファインダー光学系。【選択図】図２
2006139314.tif 000002
【特許請求の範囲】
【請求項１】
接眼レンズからみて観察する撮影画像の結像面と共役な位置に電子表示装置を配置し、前記撮影画像と前記電子表示装置に表示される情報を合成して観察することが可能な一眼レフのファインダー光学系。
【発明の詳細な説明】
【技術分野】
【０００１】  本発明は、ブローニーフィルムを使用する６４５判一眼レフカメラに関する。
【背景技術】
【０００２】  一眼レフカメラのファインダーには図１に示すように被写体の撮影画像のみならず、合焦点表示マークや、絞り値、シャッタースピード、バッテリーや記憶媒体の残存量など、撮影に関わるいくつかの情報（以下『撮影情報』という）が表示される。
これらの撮影情報のうち合焦点表示マークなど、いくつかは撮影画像に重ね合わされて表示されるものの、そのほとんどは撮影画像の周辺部に表示されるため、表示面積の制約から認視性において必ずしも満足な結果が得られているとは言いがたい。【０００３】  一方、写真撮影における撮影動作を検証すると、フレーミング、露出の決定、ピント合わせ、シャッターチャンス待ちなど、それぞれの操作において必要とする情報は異っており、すべての撮影情報を同時に表示する必要はないことが分かる。
この事実に基づけば、認視性の高い撮影画像と撮影情報を得る理想的なファインダーとして、操作段階に応じた撮影情報を撮影画像に重ね合わせる、図２に示すような表示方法が考えられる。【０００４】  上記に示した、いわゆるスーパーインポーズ機能は、現状ではファインダー光学系に透過型の薄膜表示装置を挿入し、その表示装置にあらかじめ記録された図形や記号などを必要に応じて発光させる方法によって実現されている。
しかしながら、薄膜表示装置の透過率や配線材料などの物理特性によって、その利用範囲は合焦点表示マークの点灯などに限定されている。【０００５】  一方、特許文献１によれば、新しい一眼レフとして図３ａに示すコンデンサー・レンズ０１の光軸を含む平面上と、その平面の上位に平行する図３ｂに示す接眼レンズ０２の光軸を含む平面上に光路を持つファインダー光学系が示唆されている。
ここに、非常に単純な構造を持つ図３ｂの光学系を利用することで、薄膜表示装置によらないスーパーインポーズ機能を備えたファインダー光学系実現の可能性が認められる。
【特許文献１】特開２００４−１７０９７１
【発明の開示】
【発明が解決しようとする課題】
【０００６】  本発明の目的は、表示能力の優れたスーパーインポーズ機能を実現することである。
【課題を解決するための手段】
【０００７】  接眼レンズからみて観察する撮影画像の結像面と共役な位置に電子表示装置を配置し、前記撮影画像と前記電子表示装置に表示される情報を合成して観察することが可能な一眼レフのファインダー光学系。
【発明の効果】
【０００８】  この発明によれば、図２に示すように撮影情報の表示に撮影画像の表示領域を利用するために撮影情報の表示領域が不要となり、ファインダー内の撮影画像の表示領域を大きくすることが可能となる。
また、電子表示装置は現在のスーパーインポーズ機能に利用されている透過型薄膜である必要性がないため、色彩を含んだ高密画素の電子表示装置を利用した、豊富で認視性に優れた撮影情報の表示が可能となる。
【発明を実施するための最良の形態】
【０００９】  図４は図２に示したファインダー像を得るために、図３ｂにおける直角プリズム０３を透視プリズム０５に変更し、さらに電子表示装置０６を配置した本発明の実施の形態を示す説明図である。
ここに透視プリズムは右側から進行する光束を接眼レンズ０２方向へ反射させ、また、上方の電子表示装置によって作られた光束を接眼レンズへ透過させるものとする。
また、電子表示装置の配置位置は接眼レンズからみて撮影画像が結像される結像面１０と共役な場所とする。【００１０】  図５、図６は、撮影操作段階に応じたファインダーの表示状況を示したものである。
ここに、図５の使用例は露出の決定段階での測光範囲と露出値を示すものであり、図６の使用例は自動合焦によって、ピント合わせを行っている状況を示している。【００１１】  また、図４における結像面１０と共役な位置に電子表示装置０６を配置するという本発明の発想にたてば、本発明をフィルム・カメラのファインダーに応用して、現像するまでは撮影結果が確認できないというフィルム撮影における課題を克服することができる。
すなわち、図７に示すように、可動ミラー０７と、図の右側から進行する光束から見て結像面１０と共役となる位置に電子撮像素子を備えた撮像装置０８を配置し、撮像装置にて得られた画像を電子表示装置０６に表示するファインダーとすることである。【００１２】  この結果、電子表示装置に表示される撮影画像によって、逆光撮影や極端に光線反射率の偏った被写体撮影においても適正露出を知ることができるうえ、表示画像の明暗を電気的に補正することで、絞込みによる被写界深度の確認を容易にすることも可能となる。
【図面の簡単な説明】
【００１３】
【図１】  一眼レフ・カメラのファインダー像
【図２】  本発明によるファインダー像の一例
【図３】  特許文献１に基づく一眼レフ・カメラの光路図
【図４】  本発明によるファインダー平面図（部分）
【図５】  本発明によるファインダー像の一例
【図６】  本発明によるファインダー像の一例
【図７】  本発明によるファインダー平面図（部分）
【符号の説明】
【００１４】    ０１  コンデンサーレンズ
０２  接眼レンズ
０３  直角プリズム
０４  直角プリズム
０５  透視プリズム
０６  電子表示装置
０７  可動ミラー
０８  撮像装置
１０  結像面
【図１】
2006139314.tif 000003
【図２】
2006139314.tif 000004
【図３】
2006139314.tif 000005
【図４】
2006139314.tif 000006
【図５】
2006139314.tif 000007
【図６】
2006139314.tif 000008
【図７】
2006139314.tif 000009
(57)【要約】【課題】商品選択ボタンの配線が外から見えないようにし、自動販売機の見栄えをよくするとともに配線処理を容易にする。【解決手段】自動販売機本体正面を閉塞する外扉の前面の電照板３とその内側の背板４との間に商品展示室５が構成され、背板４の前面に商品見本６が保持されるとともに、電照板３に商品選択ボタン７が配列される自動販売機において、商品選択ボタン７の押ボタン９とスイッチ１０とを分離構成し、押ボタン９を電照板３に取り付け、スイッチ１０を背板４の背面に取り付ける。スイッチ１０の配線処理を背板４の裏側で行うことができ、配線が外から見えなくなるので見栄えに気を遣う必要がなく、押ボタン部９の配置も自由に行えるようになる。【選択図】  図１
2006139362.tif 000002
【特許請求の範囲】
【請求項１】
自動販売機本体正面を閉塞する外扉の前面の電照板とその内側の背板との間に商品展示室が構成され、前記背板の前面に商品見本が保持されるとともに、前記電照板に商品選択ボタンが配列される自動販売機において、
前記商品選択ボタンの押ボタンとこの押ボタンにより押圧操作されるスイッチとを分離して構成し、前記押ボタンを前記電照板に取り付け、前記スイッチを前記背板の背面に取り付けたことを特徴とする自動販売機。
【発明の詳細な説明】
【技術分野】
【０００１】
この発明は自動販売機に関し、特に自動販売機正面に配列される商品選択ボタンの配置構成に関する。
【背景技術】
【０００２】
缶飲料などを販売する自動販売機は一般に、自動販売機本体正面を閉塞する外扉の前面の電照板とその内側の背板との間に商品展示室が構成され、背板の前面に商品見本が保持されるとともに、電照板に商品選択ボタンが配列される構造となっている。
【０００３】
図２〜図４はこの種の自動販売機の従来構造を示すもので、図２は自動販売機の電照板部分の要部縦断面図、図３は図２の自動販売機の正面図、図４は図３の自動販売機の外扉を開いた状態の斜視図である。図２〜図４において、自動販売機本体１の正面を閉塞する外扉２の前面には透明部材からなる電照板３が設置され、その内側には間隔を置いて背板４が開閉可能にヒンジ支持されている。電照板３と背板４との間の空間は商品展示室５（図２）として構成され、背板４の前面には商品見本６が配列保持されている。また、電照板３には、商品選択ボタン７が配列されている。いうまでもなく、所望の商品の商品選択ボタン７が押されると、対応する商品が商品取出口８に搬出される。このような自動販売機の商品選択ボタンについては、例えば特許文献１や特許文献２に記載されている。
【特許文献１】実公平７−１８１１２号公報
【特許文献２】特開２００１−２２２７４１号公報
【発明の開示】
【発明が解決しようとする課題】
【０００４】
ところで、商品選択ボタンは、利用客により押圧操作される押ボタンと、この押ボタンの押圧操作により接点が切り換わるスイッチとを備えているが、従来の自動販売機はこれらの２つの部分がいずれも電照板に取り付けられ、例えば図２においても、押ボタン９は電照板３の前面側に、またスイッチ１０は電照板３の裏面側に取り付けられている。その場合、スイッチ１０を搭載した図示しないプリント板に接続される配線（ワイヤハーネス）の処理は商品展示室５内で行われるが、この配線が電照板３を通して目に入ると見栄えがよくない。そこで、従来は配線にチューブを被せたり、多数配列される商品選択ボタンの配置を工夫したりして、配線により見栄えが損なわれないようにしているが、結果として配線作業が煩雑になり、また商品選択ボタンの配列が制約を受けるという問題があった。
【０００５】
この発明の課題は、商品選択ボタンの配線が外から見えないようにし、自動販売機の見栄えをよくするとともに配線処理を容易にすることにある。
【課題を解決するための手段】
【０００６】
上記課題を解決するために、この発明は、自動販売機本体正面を閉塞する外扉の前面の電照板とその内側の背板との間に商品展示室が構成され、前記背板の前面に商品見本が保持されるとともに、前記電照板に商品選択ボタンが配列される自動販売機において、前記商品選択ボタンの押ボタンとこの押ボタンにより押圧操作されるスイッチとを分離して構成し、前記押ボタンを前記電照板に取り付け、前記スイッチを前記背板の背面に取り付けるものとする（請求項１）。
【発明の効果】
【０００７】
この発明によれば、商品選択ボタンのスイッチを押ボタンから分離し、商品展示室の背板の背面に取り付けることにより、スイッチの配線処理を背板の裏側で行うことができ、配線が外から見えなくなるので見栄えに気を遣う必要がなく、押ボタン部の配置も自由に行えるようになる。
【発明を実施するための最良の形態】
【０００８】
図１は、この発明の実施の形態を示す自動販売機の電照板部分の要部縦断面図である。なお、従来例と対応する部分には同一の符号を用いるものとする。図１において、従来技術と相違するのは、
商品選択ボタン７の押ボタン９とスイッチ１０とが分離して構成され、押ボタン９は電照板３に取り付けられ、スイッチ１０を背板４の背面に取り付けられている点である。
【０００９】
ここで、横一列に配列された複数個の押ボタン９は横長のフレーム１１に一体に保持され、フレーム１１は図示しないねじにより電照板３に固定されている。押ボタン９の各々には操作軸１２が連結され、この操作軸１２は電照板３を貫通して背板４に達し、背板４の背面から突出している。一方、スイッチ１０はプリント板１３に搭載され、プリント板１３は取付脚１４を介して背板４の背面に固定されている。この状態で、スイッチ１０の図示しない接点を切り換えるアクチュエータ１０ａは、操作軸１２の先端と隙間を介して対面している。
【００１０】
図１の商品選択ボタン７において、押ボタン９を図示しない復帰スプリングに抗して押すと、操作軸１２が右に移動してスイッチ１０のアクチュエータ１０ａを押す。これにより、スイッチ１０の接点が切り換わり、プリント板１３上の制御回路に選択信号が入力される。押ボタン９から指を離すと復帰スプリングの弾性により図示状態に復帰する。
【００１１】
図示実施の形態において、商品選択ボタン７のスイッチ１０は押ボタン９から分離され、背板４の背面に取り付けられている。従って、スイッチ１０の配線処理は背板４の裏側で行われ、配線が外から見えない。その結果、配線の見栄えに気を遣う必要がなく、押ボタン９の配置も斜めや環状など自由に行えるようになる。また、電照板３に配線がつながることがないので、電照板３の交換などのメンテナンス作業も容易になる。
【図面の簡単な説明】
【００１２】
【図１】この発明の実施の形態を示す自動販売機の電照板部分の要部縦断面図である。
【図２】従来例を示す自動販売機の電照板部分の要部縦断面図である。
【図３】図２の自動販売機の正面図である。
【図４】図３の自動販売機の外扉を開いた状態の斜視図である。
【符号の説明】
【００１３】
２    外扉
３    電照板
４    背板
５    商品展示室
６    商品見本
７    商品選択ボタン
９    押ボタン
１０    スイッチ
１３    プリント板
【図１】
2006139362.tif 000003
【図２】
2006139362.tif 000004
【図３】
2006139362.tif 000005
【図４】
2006139362.tif 000006
(57)【要約】【課題】  管理対象物の温度の高低を判別できる電子タグ装置を提供する。【解決手段】  蒸気トラップ１を識別するための識別情報が記憶された電子タグ２と、電子タグ２が固定され蒸気トラップ１に固定された取付具１２とを有する。蒸気トラップ１の温度に応じて変形する温度応動部材で取付具１２を形成する。取付具１２は蒸気トラップ１に固定される対象物固定部１２ａが蒸気トラップ１に固定され、電子タグ２が固定されるタグ固定部１２ｂが低温時に蒸気トラップ１に近づき高温時に蒸気トラップ１から遠ざかる自由端とされる。【選択図】      図１
2006139683.tif 000002
【特許請求の範囲】
【請求項１】
管理対象物を識別するための識別情報が記憶された電子タグと、当該電子タグが取付けられ管理対象物に取付けられる取付具とを有するものにおいて、管理対象物の温度に応じて変形する温度応動部材で取付具を形成し、取付具は管理対象物に固定される対象物固定部が管理対象物に固定され、電子タグが固定されるタグ固定部が低温時に管理対象物に近づき高温時に管理対象物から遠ざかる自由端とされたことを特徴とする電子タグ装置。
【発明の詳細な説明】
【技術分野】
【０００１】
本発明は、管理対象物を識別するための識別情報が記憶され管理対象物に取付けられる電子タグ装置に関する。本発明の電子タグ装置は、例えば蒸気配管に設置されるバルブやトラップ、あるいは蒸気プラントの設備機器等の管理対象物を保守・点検するときに管理対象物を識別するために用いられる。
【背景技術】
【０００２】
従来の電子タグ装置は、管理対象物を識別するための識別情報が記憶された電子タグと、電子タグを管理対象物に取付ける取付具とを有するものである。
【０００３】
上記従来の電子タグ装置は、管理対象物を識別するための識別情報が得られるだけであり、管理対象物の温度の高低が判らない問題があった。管理対象物の温度の高低が判ると火傷予防に役立つばかりでなく、例えば蒸気トラップの場合は、低温であれば排水不能あるいは排水不足の状態にあると判定できる。蒸気トラップが排水不能あるいは排水不足の状態に陥ると、一次側に復水が滞留してウォータ・ハンマが発生したり、蒸気使用機器の運転効率が低下したり機器が破壊されたりするので、温度の高低を判別することは極めて肝要なことである。
【特許文献１】特開２００３−８３８４９
【発明の開示】
【発明が解決しようとする課題】
【０００４】
解決しようとする課題は、管理対象物の温度の高低を判別できる電子タグ装置を提供することである。
【課題を解決するための手段】
【０００５】
本発明の電子タグ装置は、管理対象物を識別するための識別情報が記憶された電子タグと、当該電子タグが取付けられ管理対象物に取付けられる取付具とを有するものにおいて、管理対象物の温度に応じて変形する温度応動部材で取付具を形成し、取付具は管理対象物に固定される対象物固定部が管理対象物に固定され、電子タグが固定されるタグ固定部が低温時に管理対象物に近づき高温時に管理対象物から遠ざかる自由端とされたことを特徴とする。
【発明の効果】
【０００６】
本発明の電子タグ装置は、管理対象物を識別するための識別情報が得られるだけでなく、管理対象物の温度の高低を判別できるという優れた効果を生じる。
【発明を実施するための最良の形態】
【０００７】
本発明は、管理対象物の温度に応じて変形する温度応動部材で取付具を形成し、取付具は管理対象物に固定される対象物固定部が管理対象物に固定され、電子タグが固定されるタグ固定部が低温時に管理対象物に近づき高温時に管理対象物から遠ざかる自由端とされたものである。そのため、取付具の自由端が管理対象物に近づいていれば低温であると判別でき、取付具の自由端が管理対象物から遠ざかっていれば高温であると判別できる。
【実施例１】
【０００８】
上記の技術的手段の具体例を示す実施例を説明する（図１と図２参照）。図１は管理対象物としての蒸気トラップ１へ電子タグ装置を取付けた正面図であり、図２は図１の平面図である。蒸気トラップ１は入口３と出口４を有する本体５と蓋体６とでケーシングを形成し、本体５の四角状のフランジ部７と四角状のフランジから成る蓋体６をボルト９で締結したものである。
【０００９】
本体５のフランジ部７に座金１０を介して小ネジ１１で取付具１２を固定する。取付具１２はバイメタルや形状記憶合金の薄板から成る温度応動部材で形成され、一端（右端）側に対象物固定部１２ａを、他端（左端）側にタグ固定部１２ｂを有する。取付具１２は座金１０を介さずに溶接やその他の手段によりケーシングに直接固定してもよい。取付具１２のタグ固定部１２ｂの蒸気トラップ１とは反対側に座金１３を介して電子タグ２を小ネジ１４で固定する。電子タグ２はＲＦＩＤ（無線周波数識別）技術を用いたもので、アンテナ素子に蒸気トラップ１の識別情報を記憶した回路素子を電気的に接続したものである。
【００１０】
電子タグ２に記憶された蒸気トラップ１の識別情報は無線により非接触で図示しないタグ読取装置に伝達される。蒸気トラップ１が正常に復水を排出していれば、蒸気トラップ１が高温であるから、取付具１２は破線で示すように自由端であるタグ固定部１２ｂが下方に屈曲して蒸気トラップ１から遠ざかる。蒸気トラップ１が排水不能あるいは排水不足の状態に陥ると、蒸気トラップ１が低温になるので、取付具１２は実線で示すように偏平となり蒸気トラップ１に近づく。
【図面の簡単な説明】
【００１１】
【図１】本発明の実施例である電子タグ装置を蒸気トラップへ取付けた正面図。
【図２】図１の平面図。
【符号の説明】
【００１２】
１  蒸気トラップ
２  電子タグ
１２ 取付具
１２ａ  取付具１２の対象物固定部
１２ｂ  取付具１２のタグ固定部
【図１】
2006139683.tif 000003
【図２】
2006139683.tif 000004
(57)【要約】【課題】金庫の近傍や、建物の出入口に任意に設置可能であって、効果的に犯罪者の犯行を抑止すると共に、警備員等が不審者の襲撃から身を守るために用いられる防犯用フラッシャーを提供すること。【解決手段】例えば、鏡面仕上げされたアルミ板からなる反射鏡１と、例えば、キセノンランプのような高輝度ランプ２を有する防犯用フラッシャーであって、高輝度ランプ２の光は、反射鏡１により所定の方向に集光すると共に、外部トリガ入力によって毎秒５〜１０回閃光し、且つ、高輝度ランプの閃光に先立ち点滅する発光ダイオード５を有することによって、上記の課題を解決する。【選択図】図１
2006139473.tif 000002
【特許請求の範囲】
【請求項１】
反射鏡と高輝度ランプを有する防犯用フラッシャーであって、
前記高輝度ランプの光は、前記反射鏡により所定の方向に集光すると共に、外部トリガ入力によって毎秒５〜１０回閃光し、且つ、
前記高輝度ランプの閃光に先立ち点滅する発光ダイオードを有すること
を特徴とする防犯用フラッシャー。
【発明の詳細な説明】
【技術分野】
【０００１】
本発明は、不審者の侵入時に閃光し、不審者による犯行を未然に防ぐとともに、警備員等が不審者の襲撃から身を守るために設置される防犯用フラッシャーに関するものである。
【背景技術】
【０００２】
従来より、現金自動取引装置（ＡＴＭ）に衝撃が加わったときに、フラッシュ光源から閃光を発することにより、不審者の顔や犯行現場を明るく照らし出すことができると共に、不審者を驚かせ犯罪を未然に防ぐことができる防犯用フラッシャーが知られている。
【特許文献１】特開２００４−１７８４６７号公報（第３頁）
【発明の開示】
【発明が解決しようとする課題】
【０００３】
ところが、上述したような防犯用フラッシャーは、ＡＴＭと一体に構成されるものであって、任意の金庫やショーケースあるいは建物の出入口等に単独に設置して、不審者の犯行を未然に防ぐことはできなかった。
【０００４】
また、フラッシュ光源の点滅回数については、特に配慮がなされていなかった。一方、人間の目は、毎秒５〜１０回の閃光に対し、最も不快に感じることが知られている。
【０００５】
さらに、防犯用フラッシャーを閃光させたとしても、不審者が防犯用フラッシャーの存在に気づき、下を向いたり横を向いたりした場合には、不審者の目を眩ますことができない。防犯用フラッシャーの効果を最大限に活かすためには、不審者の視線が防犯用フラッシャーに向いているときに、防犯用フラッシャーを閃光させる必要がある。
【０００６】
そこで、本発明の目的は、金庫やショーケースの近傍あるいは建物の出入口に任意に設置可能であって、効果的に不審者の犯行を抑止すると共に、警備員等が不審者の襲撃から身を守るために用いられる防犯用フラッシャーを提供することにある。
【課題を解決するための手段】
【０００７】
上記目的を達成するため、本発明は、反射鏡と高輝度ランプを有する防犯用フラッシャーであって、前記高輝度ランプの光は、前記反射鏡により所定の方向に集光すると共に、外部トリガ入力によって毎秒５〜１０回閃光し、且つ、前記高輝度ランプの閃光に先立ち点滅する発光ダイオードを有することを特徴としている。
【０００８】
ここで、本発明に使用する高輝度ランプとしては、犯罪者の眼を眩ますことができるだけの十分な光量を得られるものであれば特に限定されるものではないが、ランプの寿命が長くランプ交換などの費用を軽減できるキセノンランプが好適に使用される。
【発明の効果】
【０００９】
本発明によれば、反射鏡と高輝度ランプを有する防犯用フラッシャーであって、前記高輝度ランプの光は、前記反射鏡により所定の方向に集光すると共に、外部トリガ入力によって毎秒５〜１０回閃光し、且つ、前記高輝度ランプの閃光に先立ち点滅する発光ダイオードを有する構成としたことによって、まず、発光ダイオードの点滅により、不審者の視線を防犯用フラッシャーに誘導し、その後、高輝度ランプの光を効率よく不審者に向けて照射できるため、不審者の眼を効果的に眩ますことが可能となる。
【発明を実施するための最良の形態】
【００１０】
本発明の実施の形態について、図１及び図２に基づいて説明する。図１は、本発明による防犯用フラッシャーの主要部を示した斜視図であり、図２は、本発明による防犯用フラッシャーの電気系統を示す回路構成図である。
【００１１】
本発明の防犯用フラッシャーは、図１に示したように、断面が円弧状に形成され、表面が鏡面仕上げされたアルミニウム製の反射鏡１と、キセノンランプ２と該キセノンランプ２を反射鏡１上に電気的に絶縁された状態で支持する端子３と、視線誘導するために点滅させる発光ダイオード５と、これらの部材を支持する台４から構成されている。
【００１２】
反射鏡１は、鉄鋼製の台４に螺旋等によって、固設されている。なお、図１に示した防犯用フラッシャーは、反射鏡１及びキセノンランプ２がむき出しの状態であるが、使用時には、不用意な感電やキセノンランプの破損等を防ぐため、透明な耐熱硝子等でカバーすることが好ましい。
【００１３】
本発明のキセノンランプには、図２に示したようにキセノンランプの放電電圧より若干低い高電圧がトリガコイルの２次側コイルを介して印加されている。そして、トリガコイルの１次側にトリガを入力することによって、キセノンランプの両端に放電電圧より高い電圧が印加されることになり、キセノンランプが閃光する。この時、トリガを毎秒５〜１０回入力することによって、キセノンランプを毎秒５〜１０回、閃光させることが可能になる。このトリガは、発光ダイオード５の点滅に引き続いて発生するように制御されている。発光ダイオード５の点滅は、防犯用フラッシャーが設置される金庫やショーケースあるいは建物の出入口近傍に別途設置した遠赤外線センサーのような人感センサーや、ドアの開閉部に設置される圧電ピックアップ等によって制御される。
【００１４】
なお、上記の実施例においては、キセノンランプを１つだけ使用する例を説明しているが、複数のキセノンランプを用いて、複数の方向に閃光を照射させることも可能である。
【００１５】
また、キセノンランプによる閃光に加えて、大音響を発生させることにより、より効果的に不審者を威嚇し犯行を抑止することが可能になる。
【図面の簡単な説明】
【００１６】
【図１】本発明の一実施例である防犯用フラッシャーの主要部の斜視図である。
【図２】本発明の一実施例である防犯用フラッシャーの回路図である。
【符号の説明】
【００１７】
１  ・・・  反射鏡
２  ・・・  キセノンランプ
３  ・・・  端子
４  ・・・  台
５  ・・・  発光ダイオード
【図１】
2006139473.tif 000003
【図２】
2006139473.tif 000004